(57)【要約】【課題】物品が利用された利用統計を用いて物品の利用に適した貸出期間を設定することで、物品の利用の最適化を図ること。【解決手段】貸出管理サーバ１１０は、ユーザＭが書籍Ｂの貸出返却処理をおこなう際、人タグＴｍや書籍タグＴｂから人ＩＤや書籍ＩＤを読み取る。貸出管理サーバ１１０は、読み取られた人ＩＤや書籍ＩＤと、実行された処理とに基づいて、管理テーブルを更新する。貸出管理サーバ１１０は、書籍Ｂの返却処理の際に更新される管理テーブルから書籍Ｂの持出時間を算出し、その持出時間に基づいて、書籍Ｂの統計データを更新する。貸出管理サーバ１１０は、統計データに基づいて、書籍Ｂの貸出期間を設定する。【選択図】図１
2010238047.tif 000002
【特許請求の範囲】
【請求項１】
物品の貸出および返却に関する貸出返却処理に応じて前記物品の貸出返却管理をおこなう管理装置であって、
貸出および返却がおこなわれる前記物品の識別情報を含む貸出返却情報を取得する貸出返却情報取得手段と、
前記貸出返却情報取得手段によって取得された貸出返却情報に基づいて、利用者によって貸出から返却がおこなわれるまでの前記物品の持出時間情報を算出する持出時間情報算出手段と、
前記持出時間情報算出手段によって算出された持出時間情報に基づいて、前記物品の利用統計に関する統計情報を作成する作成手段と、
前記作成手段によって作成された統計情報に基づいて、前記物品の貸出を許容する貸出期間を設定する設定手段と、
を備えることを特徴とする管理装置。
【請求項２】
前記物品に対して設定されている前記貸出期間を前記利用者に報知する第１報知手段を備えることを特徴とする請求項１に記載の管理装置。
【請求項３】
前記貸出返却情報取得手段は、前記物品の貸出をおこなう前記利用者に関する利用者情報を前記貸出返却情報として取得し、
前記物品の貸出から返却がおこなわれるまでに、前記物品に対して設定されている前記貸出期間を経過した場合、前記利用者情報に基づいて報知をおこなう第２報知手段をさらに備えることを特徴とする請求項１または２に記載の管理装置。
【請求項４】
前記持出時間情報算出手段は、前記貸出返却情報に基づいて、前記物品が前回返却されてから所定の期間が経過する前に同一の前記利用者によって貸出がおこなわれる場合、前回の貸出から今回の返却がおこなわれるまでの合計時間を前記持出時間情報として取扱うことを特徴とする請求項１〜３のいずれか一つに記載の管理装置。
【発明の詳細な説明】
【技術分野】
【０００１】
この発明は、貸出返却処理の対象となる物品を管理するための管理装置に関し、特に、貸出返却処理の対象となる物品の貸出期間を設定可能な管理装置に関する。
【背景技術】
【０００２】
従来より、貸出返却処理の対象となる物品に、その物品の識別番号が記録されたＲＦＩＤ（Ｒａｄｉｏ  Ｆｒｅｑｕｅｎｃｙ  Ｉｄｅｎｔｉｆｉｃａｔｉｏｎ）タグが貼付されている。利用者は、物品の貸出返却処理をおこなう際に、ＲＦＩＤリーダによってＲＦＩＤタグに記録された物品の識別情報を読み取らせる。
【０００３】
管理サーバは、ＲＦＩＤリーダによって読み取られた物品の識別情報を、貸出処理や返却処理などの処理の内容に応じて記録し、物品の状態が貸出中であるのか返却済みであるのかなどを管理する。
【０００４】
近年では、物品の貸出処理をおこなった利用者に対して、物品の返却情報を通知する貸出管理サーバが提案されている（特許文献１）。具体的には、貸出管理サーバは、貸出処理がおこなわれた物品の返却情報について、予め設定された返却日の通知時期を指定する指定信号をユーザ端末から受信する。貸出管理サーバは、受信した指定信号に基づいて、ユーザごとに物品の返却情報の通知時期を設定する。貸出管理サーバは、設定された通知時期に至ったと判定された場合、ユーザに対して返却情報を通知する。
【先行技術文献】
【特許文献】
【０００５】
【特許文献１】特開２００６−１２７０７３号公報
【発明の概要】
【発明が解決しようとする課題】
【０００６】
しかしながら、上述した特許文献１に記載の従来技術では、物品の貸出処理がおこなわれてから返却処理がおこなわれるまでの貸出期間は、管理者などによって標準的な期間が設定されている。したがって、貸出期間は、利用者が物品を利用するために必要十分な期間となっていないという問題があった。
【０００７】
利用者にとって物品の利用に必要十分な時間は、物品の種類、ボリューム（たとえば、書籍におけるページ数）、利用時期などによって異なる。
【０００８】
すなわち、貸出期間が物品の利用に必要十分な時間より短い場合、利用者は、物品の利用が終了する前に物品を返却しなければならない。したがって、利用者は、物品の利用が不十分となってしまうという問題が一例として挙げられる。
【０００９】
一方、貸出期間が物品の利用に必要十分な時間よりも長い場合、利用者は、物品の利用終了時点で物品を返却する必要がないため、使用していないのに返却されていない状態になり、他の利用者が利用したいのに利用できないことが生じてしまうという問題が一例として挙げられる。
【００１０】
この発明は、上述した問題を解決するため、物品が利用された利用統計を用いて物品の利用に適した貸出期間を設定することで、物品の利用の最適化を図ることができる管理装置を提供することを目的とする。
【課題を解決するための手段】
【００１１】
上述した課題を解決し、目的を達成するため、請求項１の発明にかかる管理装置は、物品の貸出および返却に関する貸出返却処理に応じて前記物品の貸出返却管理をおこなう管理装置であって、貸出および返却がおこなわれる前記物品の識別情報を含む貸出返却情報を取得する貸出返却情報取得手段と、前記貸出返却情報取得手段によって取得された貸出返却情報に基づいて、利用者によって貸出から返却がおこなわれるまでの前記物品の持出時間情報を算出する持出時間情報算出手段と、前記持出時間情報算出手段によって算出された持出時間情報に基づいて、前記物品の利用統計に関する統計情報を作成する作成手段と、前記作成手段によって作成された統計情報に基づいて、前記物品の貸出を許容する貸出期間を設定する設定手段と、を備えることを特徴とする。
【００１２】
請求項２の発明にかかる管理装置は、請求項１に記載の発明において、前記物品に対して設定されている前記貸出期間を前記利用者に報知する第１報知手段を備えることを特徴とする。
【００１３】
請求項３の発明にかかる管理装置は、請求項１または２に記載の発明において、前記貸出返却情報取得手段は、前記物品の貸出をおこなう前記利用者に関する利用者情報を前記貸出返却情報として取得し、前記物品の貸出から返却がおこなわれるまでに、前記物品に対して設定されている前記貸出期間を経過した場合、前記利用者情報に基づいて報知をおこなう第２報知手段をさらに備えることを特徴とする。
【００１４】
請求項４の発明にかかる管理装置は、請求項１〜３のいずれか一つに記載の発明において、前記持出時間情報算出手段は、前記貸出返却情報に基づいて、前記物品が前回返却されてから所定の期間が経過する前に同一の前記利用者によって貸出がおこなわれる場合、前回の貸出から今回の返却がおこなわれるまでの合計時間を前記持出時間情報として取扱うことを特徴とする。
【発明の効果】
【００１５】
請求項１にかかる発明によれば、貸出された物品の利用統計に関する統計情報に基づいて貸出期間を設定できるため、物品の利用に必要十分な時間を貸出期間に設定することができる。したがって、物品の貸出をおこなった利用者は、適切な貸出期間によって物品を利用することができる。
【００１６】
請求項２にかかる発明によれば、物品に設定された貸出期間を利用者に報知することができるため、利用者は、貸出期間を的確に把握することができる。
【００１７】
請求項３にかかる発明によれば、貸出期間が経過した場合には利用者に対して報知することができるため、物品の返却を確実におこなわせることができる。
【００１８】
請求項４にかかる発明によれば、連続して物品の貸出をおこなった場合は、合計期間を持出時間として統計情報を更新することができる。すなわち、物品を利用した時間が不十分だったために連続して貸出がされた場合であっても合計時間を統計することで、貸出期間の最適化を図ることができる。
【００１９】
以上説明したように、本発明にかかる管理装置によれば、物品が利用された利用統計を用いて物品の利用に適した貸出期間を設定することで、物品の利用の最適化を図ることができる。
【図面の簡単な説明】
【００２０】
【図１】本発明の実施形態にかかる貸出管理システムの一例を示す説明図である。
【図２】本発明の実施形態にかかる貸出管理システムの機能的構成の一例を示す説明図である。
【図３】本発明の実施形態にかかるデータベースに記憶される情報の概要を示す説明図である。
【図４】本発明の実施形態にかかる貸出管理サーバの処理の内容を示すフローチャートである。
【図５】本発明の実施形態にかかる貸出処理（図４に示したステップＳ４０３）の内容を示すフローチャートである。
【図６】本発明の実施形態にかかる貸出処理（図４に示したステップＳ４０５）の内容を示すフローチャートである。
【図７】本発明の実施形態にかかる貸出管理サーバにおける貸出期間の更新の一例を示す説明図である。
【図８】本発明の実施形態にかかる表示部における画面表示の一例を示す説明図である。
【発明を実施するための形態】
【００２１】
以下に添付図面を参照して、この発明にかかる管理装置の好適な実施の形態を詳細に説明する。
【００２２】
（実施形態）
（貸出管理システムの概要）
図１を用いて、本発明の実施形態にかかる貸出管理システムを書籍の貸出返却サービスに適用した場合について説明する。図１は、本発明の実施形態にかかる貸出管理システムの一例を示す説明図である。なお、本実施形態では、書籍Ｂの貸出処理、返却処理などの際に読み取られる、ユーザＭや書籍Ｂの識別情報（詳細には、人タグＴｍや書籍タグＴｂに記憶されたタグ識別情報としての人ＩＤや書籍ＩＤ）に基づいて、書籍Ｂの貸出返却サービスを提供する貸出管理サーバ１１０によって、本発明にかかる管理装置を実現する場合について説明する。
【００２３】
図１において、貸出管理システム１００は、ユーザＭを示す人ＩＤが記憶された人タグＴｍと、書籍Ｂを示す書籍ＩＤを記憶した書籍タグＴｂと、書籍タグＴｂが貼付された書籍Ｂと、書籍Ｂを収納する収納棚１０１が設置された保管室１５０と、保管室１５０の入口に設置された貸出管理サーバ１１０と、貸出管理サーバ１１０に接続された読取部２００とから構成されている。
【００２４】
貸出管理サーバ１１０は、保管室１５０内に収納される書籍Ｂの書籍ＩＤごとに、書籍Ｂの管理状態が貸出中であるのか収納中（返却済み）であるのかなどを示す管理テーブルをデータベース２０４（図２参照）に記憶している。
【００２５】
貸出管理サーバ１１０は、ユーザＭが書籍Ｂの貸出や返却の際におこなう貸出処理や返却処理（以下、貸出処理と返却処理の区別をしない場合、「貸出返却処理」ともいう）をおこなう際、読取部２０２によって人タグＴｍや書籍タグＴｂから人ＩＤや書籍ＩＤを読み取る。貸出管理サーバ１１０は、読取部２０２によって読み取られた人ＩＤや書籍ＩＤと、実行された処理（貸出処理あるいは返却処理）とに基づいて、データベース２０４に記憶されている管理テーブルを更新する。
【００２６】
貸出管理サーバ１１０は、書籍Ｂの利用統計に関する統計情報としての統計データをデータベース２０４に記憶している。統計データは、書籍Ｂの貸出処理がおこなわれてからから返却処理がおこなわれるまでの持出時間と、各持出時間の頻度とを書籍Ｂごとに関連付けたデータである。具体的には、貸出管理サーバ１１０は、書籍Ｂの返却処理の際に更新される管理テーブルから書籍Ｂの持出時間を算出する。貸出管理サーバ１１０は、算出された持出時間に基づいて、書籍Ｂの統計データを更新する。
【００２７】
貸出管理サーバ１１０は、統計データに基づいて、書籍Ｂの貸出期間を設定する。貸出期間は、ユーザＭに書籍Ｂの貸出を許可する期間であり、書籍Ｂごとに設定される。具体的には、貸出管理サーバ１１０は、貸出の対象となる書籍Ｂの統計データを参照して貸出期間を設定する。
【００２８】
貸出管理サーバ１１０は、書籍Ｂの貸出返却処理をおこなうユーザＭに対して、書籍Ｂの貸出期間を報知する。貸出期間の報知は、たとえば、ユーザＭが貸出処理をおこなう際、画面表示や音声出力によっておこなう。また、貸出処理の際にユーザＭの人ＩＤに基づいて連絡先情報を特定する場合、ユーザＭの連絡先に対して貸出期間を報知する構成でもよい。
【００２９】
（機能的構成）
ここで、図２を用いて、貸出管理サーバ１１０の機能的構成について説明する。図２は、本発明の実施形態にかかる貸出管理サーバの機能的構成の一例を示す説明図である。
【００３０】
図２において、貸出管理サーバ１１０は、貸出管理サーバ１１０全体の制御をおこなう制御部２０１と、表示データの表示をおこなう表示部２０３と、各種情報を記憶するデータベース２０４と、各種情報の入力を受け付けるキーボード２０５と、を備えている。貸出管理サーバ１１０には、ユーザＭが保持する人タグＴｍや書籍Ｂに貼付された書籍タグＴｂと無線通信によって人ＩＤや書籍ＩＤを読み取り可能な読取部２０２が接続されている。
【００３１】
制御部２０１は、貸出管理サーバ１１０全体の制御を司る。具体的には、制御部２０１は、ＣＰＵ（セントラルプロセッシングユニット）、ＲＯＭ（リードオンリーメモリ）、ＲＡＭ（ランダムアクセスメモリ）などによって構成されており、ＲＯＭは、ブートプログラムなどの各種プログラムを記録している。また、ＲＡＭは、ＣＰＵのワークエリアとして使用される。
【００３２】
読取部２０２は、人タグＴｍや書籍タグＴｂと無線通信をおこなうアンテナと、アンテナを介して人タグＴｍや書籍タグＴｂとの無線通信を制御する無線タグ通信制御部とを含むリーダによって構成される。読取部２０２は、制御部２０１の制御に従って、書籍タグＴｂや人タグＴｍがアンテナから所定の範囲内に近接すると無線通信を開始する。読取部２０２は、人タグＴｍまたは書籍タグＴｂからアンテナを介して人ＩＤや書籍ＩＤを読み取り、読み取った人ＩＤや書籍ＩＤを貸出管理サーバ１１０の制御部２０１へ出力する。
【００３３】
表示部２０３は、ディスプレイ２３１と、タッチパネル２３２とを備え、制御部２０１の制御に従って各種情報の表示をおこなう。具体的には、ディスプレイ２３１は、ＣＲＴ、ＴＦＴ液晶ディスプレイ、プラズマディスプレイなどによって構成され、文書や画像などによって書籍Ｂの貸出返却処理に関する画面を表示する。
【００３４】
タッチパネル２３２は、入力Ｉ／Ｆとして機能する。すなわち、タッチパネル２３２は、ディスプレイ２３１に表示される、貸出処理または返却処理を選択させる画面や人タグＴｍまたは書籍タグＴｂの読取を促す画面上における操作ボタンなどについて、ユーザＭの操作による選択信号を受け付ける。
【００３５】
また、制御部２０１は、表示部２０３を制御して、貸出処理または返却処理を選択させる画面や人タグＴｍまたは書籍タグＴｂの読取を促す画面を表示させる。詳細は図４〜図８を用いて説明するが、ユーザＭは、表示部２０３に表示された画面に応じて、読取部２０２に人タグＴｍまたは書籍タグＴｂを近接させる。
【００３６】
また、表示部２０３は、制御部２０１の制御に従って、書籍Ｂの貸出期間の報知をおこなう。具体的には、制御部２０１は、データベース２０４に記憶された書籍Ｂの統計データに基づいて、書籍Ｂの貸出期間を設定する。詳細は図４〜図８を用いて説明するが、貸出期間の設定は、書籍Ｂの持出時間と、各持出時間の頻度から、所定の割合以内の頻度となる持出時間を貸出期間として設定する。制御部２０１は、貸出処理がおこなわれる書籍Ｂについて設定されている貸出期間を表示部２０３に表示させる。
【００３７】
データベース２０４は、貸出管理サーバ１１０による書籍Ｂの貸出返却サービスを利用するユーザＭの一覧を示すユーザテーブルと、書籍Ｂの管理状態が貸出中であるか収納中であるかなどを示す管理テーブルと、書籍Ｂの利用統計に関する統計情報としての統計データとを記憶している。
【００３８】
ここで、図３を用いて、本発明の実施形態にかかるデータベース２０４に記憶される情報について説明する。図３は、本発明の実施形態にかかるデータベースに記憶される情報の概要を示す説明図である。
【００３９】
図３において、データベース２０４は、ユーザテーブル３０１と、管理テーブル３０２と、統計データ３０３とを記憶している。
【００４０】
ユーザテーブル３０１は、ユーザＭを示す人ＩＤと、ユーザＭの氏名を示すユーザ名と、連絡先情報としてのユーザのメールアドレスとが関連付けられている。ユーザテーブル３０１は、たとえば、管理者やユーザＭがキーボード２０５を操作することで登録される。
【００４１】
管理テーブル３０２は、書籍Ｂを示す書籍ＩＤと、書籍Ｂのタイトル名を示す書籍名と、書籍Ｂが貸出中であるのか収納中であるのかを示す管理状態と、貸出中の書籍Ｂについて貸出処理がおこなわれた貸出時刻および貸出処理をおこなったユーザと、書籍Ｂに設定されている貸出期間とが関連付けられている。
【００４２】
管理テーブル３０２は、たとえば、書籍Ｂの購入時（あるいは最初の保管室１５０への収納時）に、管理者がキーボード２０５を操作して、書籍Ｂの書籍ＩＤ、書籍名、管理状態（収納中）および初期設定の貸出期間が登録される。管理テーブル３０２は、ユーザＭが貸出返却処理をおこなうと、管理状態、貸出時刻、ユーザおよび貸出期間が制御部２０１によって更新される。
【００４３】
具体的には、制御部２０１は、ユーザＭによって書籍Ｂの貸出処理がおこなわれた際に、読取部２０２によって書籍ＩＤが読み取られると、読み取られた書籍ＩＤについて、管理テーブル３０２を参照して、貸出処理がおこなわれた書籍Ｂを特定する。制御部２０１は、貸出処理がおこなわれた書籍Ｂの管理状態を収納中から貸出中に変更し、タイマ（不図示）から取得した時刻を貸出時刻として管理テーブル３０２を更新する。
【００４４】
制御部２０１は、ユーザＭによって書籍Ｂの貸出処理がおこなわれた際に、読取部２０２によって人タグＴｍから人ＩＤが読み取られると、読み取った人ＩＤを、書籍Ｂの貸出処理をおこなったユーザＭの人ＩＤとして管理テーブル３０２に記録する。
【００４５】
なお、図３の説明では、管理テーブル３０２に人ＩＤを記録することとして説明したが、ユーザ名を記録する構成でもよい。すなわち、制御部２０１は、読み取られた人ＩＤについて、ユーザテーブル３０１を参照して、貸出処理をおこなったユーザＭを特定する。制御部２０１は、貸出処理がおこなわれた書籍ＢのユーザＭの氏名をユーザとして管理テーブル３０２を更新する。
【００４６】
制御部２０１は、貸出処理がおこなわれる書籍Ｂについて、統計データ３０３を参照して貸出期間を設定して管理テーブル３０２を更新する。詳細は図４〜図８を用いて説明するが、制御部２０１は、所定の更新タイミングで統計データ３０３を参照して、書籍Ｂの持出時間が所定の割合以下の頻度となる持出時間を貸出期間として設定する。
【００４７】
所定の更新タイミングは、たとえば、１ヶ月など所定期間ごとや、１００回など所定の貸出返却回数ごとや、返却処理がおこなわれるごとなどである。すなわち、制御部２０１は、書籍Ｂの貸出処理がおこなわれる際、所定の更新タイミングである場合に統計データ３０３を参照して、これまで設定された貸出期間を、新たに設定された貸出期間に変更して管理テーブル３０２を更新する。
【００４８】
また、制御部２０１は、ユーザＭによって書籍Ｂの返却処理がおこなわれた際に、読取部２０２によって書籍ＩＤが読み取られると、読み取られた書籍ＩＤについて、管理テーブル３０２を参照して、返却処理がおこなわれた書籍Ｂを特定する。制御部２０１は、返却処理がおこなわれた書籍Ｂの管理状態を貸出中から収納中に変更し、貸出時刻およびユーザをクリアして管理テーブル３０２を更新する。
【００４９】
なお、特に図示はしないが、制御部２０１は、ユーザＭによって書籍Ｂの返却処理がおこなわれた際に、読取部２０２によって人ＩＤが読み取られた場合、貸出処理をおこなったユーザＭと同一人物であるかのチェックや、返却処理がおこなわれた返却時刻を取得して、貸出時刻から返却時刻までの持出時間が貸出期間を守っていたかのチェックなどによって書籍Ｂの貸出管理をおこなうこととしてもよい。
【００５０】
統計データ３０３は、貸出処理から返却処理までの持出時間と、各持出時間の頻度とが書籍Ｂごとに関連付けられている。統計データは、ユーザＭが貸出返却処理をおこなうと、持出時間および頻度が制御部２０１によって更新される。
【００５１】
具体的には、制御部２０１は、ユーザＭによって返却処理がおこなわれた際に、読取部２０２によって書籍ＩＤが読み取られると、読み取られた書籍ＩＤについて管理テーブル３０２を参照して、返却処理がおこなわれた書籍Ｂを特定する。
【００５２】
制御部２０１は、タイマ（不図示）から取得した時刻を返却時刻として、管理テーブル３０２における貸出時刻から返却時刻までの持出時間を算出する。制御部２０１は、書籍Ｂの統計データについて、算出された持出時間に対応する頻度を１つ加算して統計データを更新する。
【００５３】
なお、各構成要素と、各機能を対応付けて説明すると、図２に示した制御部２０１が読取部２０２を制御することによって、本発明にかかる貸出返却情報取得手段の機能を実現する。制御部２０１によって本発明にかかる持出時間算出手段、更新手段および設定手段の機能を実現する。制御部２０１が表示部２０３を制御することによって、本発明にかかる第１報知手段の機能を実現する。
【００５４】
（貸出管理サーバ１１０の処理の内容）
図４〜図８を用いて、本発明の実施形態にかかる貸出管理サーバ１１０の処理の内容について説明する。図４は、本発明の実施形態にかかる貸出管理サーバの処理の内容を示すフローチャートである。図４のフローチャートにおいて、まず、制御部２０１は、表示部２０３に初期画面を表示する（ステップＳ４０１）。
【００５５】
ここで、図８を用いて、表示部２０３に表示される画面について説明する。図８は、本発明の実施形態にかかる表示部における画面表示の一例を示す説明図である。図８（ａ）は、表示部２０３に表示される初期画面８１０の一例を示している。初期画面８１０は、保管室１５０に入退室するユーザＭに対して、実行する処理の選択を促す画面である。初期画面８１０は、タッチパネルとして機能する表示部２０３に表示される。
【００５６】
初期画面８１０には、書籍Ｂに対する貸出処理を選択する貸出ボタン８１１、返却処理を選択する返却ボタン８１２、処理終了を選択する終了ボタン８１３がそれぞれ選択可能に表示されている。この初期画面８１０は、貸出管理サーバ１１０の電源が入った状態で常に表示される構成や、公知の人感センサなどを保管室１５０の入口に設置し、設置された人感センサによってユーザＭの入退室を検知した際に表示される構成である。
【００５７】
図４に戻って、制御部２０１は、ユーザＭによって、ステップＳ４０１において表示された初期画面８１０に応じて貸出処理が選択されたか否かを判断する（ステップＳ４０２）。すなわち、制御部２０１は、ステップＳ４０１において表示された初期画面８１０上における貸出ボタン８１１、返却ボタン８１２、終了ボタン８１３のうち貸出ボタン８１１が選択されたか否かを判断する。
【００５８】
ステップＳ４０２において、貸出処理が選択された場合（ステップＳ４０２：Ｙｅｓ）は、制御部２０１は、ユーザＭによる書籍Ｂの貸出処理を実行する（ステップＳ４０３）。
【００５９】
ここで、図５を用いて、本発明の実施形態にかかる貸出管理サーバ１１０における貸出処理（図４に示したステップＳ４０３）について説明する。図５は、本発明の実施形態にかかる貸出処理（図４に示したステップＳ４０３）の内容を示すフローチャートである。図５のフローチャートにおいて、まず、制御部２０１は、表示部２０３に人タグ読取要求画面を表示する（ステップＳ５０１）。
【００６０】
ここで、図８（ｂ）を用いて、表示部２０３に表示される人タグ読取要求画面について説明する。図８（ｂ）は、貸出処理中に表示部２０３に表示される人タグ読取要求画面８２０の一例を示している。人タグ読取要求画面８２０は、書籍Ｂの貸出処理をおこなうユーザＭに対して、ユーザＭの保持する社員証に組み込まれた人タグＴｍを読取部２０２にかざすように促す画面である。人タグ読取要求画面８２０には、「アンテナに社員証を近づけてください」という表示や、処理をキャンセルするキャンセルボタン８２１などが選択可能に表示されている。
【００６１】
図５に戻って、制御部２０１は、ステップＳ５０１において表示された人タグ読取要求画面８２０に応じて読取部２０２を介して、ユーザＭの保持する人タグＴｍから人ＩＤを読み取ったか否かを判断する（ステップＳ５０２）。
【００６２】
ステップＳ５０２において、人ＩＤが読み取られていない場合（ステップＳ５０２：Ｎｏ）は、ステップＳ５１１へ移行して、制御部２０１は、ユーザＭによって人タグ読取要求画面８２０に応じてキャンセルが選択されたか否かを判断する（ステップＳ５１１）。具体的には、制御部２０１は、人タグ読取要求画面８２０上のキャンセルボタン８２１が選択されたか否かを判断する。
【００６３】
ステップＳ５１１において、キャンセルが選択された場合（ステップＳ５１１：Ｙｅｓ）は、そのまま一連の貸出処理を終了して、図４に示したステップＳ４０１へ戻る。ステップＳ５１１において、キャンセルが選択されなかった場合（ステップＳ５１１：Ｎｏ）は、ステップＳ５０２へ戻って処理を繰り返す。
【００６４】
ステップＳ５０２において、人ＩＤが読み取られた場合（ステップＳ５０２：Ｙｅｓ）は、制御部２０１は、表示部２０３に書籍タグ読取要求画面を表示する（ステップＳ５０３）。
【００６５】
ここで、図８（ｃ）を用いて、表示部２０３に表示される書籍タグ読取要求画面について説明する。図８（ｃ）は、貸出処理中に表示部２０３に表示される書籍タグ読取要求画面８３０の一例を示している。書籍タグ読取要求画面８３０は、書籍Ｂの貸出処理をおこなうユーザＭに対して、貸出処理の対象となる書籍Ｂに貼付された書籍タグＴｂを読取部２０２にかざすように促す画面である。書籍タグ読取要求画面８３０には、「アンテナに書籍を近づけてください」という表示や、処理をキャンセルするキャンセルボタン８３１などが選択可能に表示されている。
【００６６】
図５に戻って、制御部２０１は、ステップＳ５０３において表示された書籍タグ読取要求画面８３０に応じて読取部２０２を介して、書籍Ｂに貼付された書籍タグＴｂから書籍ＩＤを読み取ったか否かを判断する（ステップＳ５０４）。
【００６７】
ステップＳ５０４において、書籍ＩＤが読み取られていない場合（ステップＳ５０４：Ｎｏ）は、ステップＳ５１２へ移行して、制御部２０１は、ユーザＭによって書籍タグ読取要求画面８３０に応じてキャンセルが選択されたか否かを判断する（ステップＳ５１２）。具体的には、制御部２０１は、書籍タグ読取要求画面８３０上のキャンセルボタン８３１が選択されたか否かを判断する。
【００６８】
ステップＳ５１２において、キャンセルが選択された場合（ステップＳ５１２：Ｙｅｓ）は、そのまま一連の貸出処理を終了して、図４に示したステップＳ５０１へ戻って処理を繰り返す。また、ステップＳ５１２において、キャンセルが選択されなかった場合（ステップＳ５１３：Ｎｏ）は、ステップＳ５０４へ戻って処理を繰り返す。
【００６９】
ステップＳ５０４において、書籍ＩＤが読み取られた場合（ステップＳ５０４：Ｙｅｓ）は、制御部２０１は、表示部２０３に確認要求画面を表示する（ステップＳ５０５）。
【００７０】
ここで、図８（ｄ）を用いて、表示部２０３に表示される確認要求画面について説明する。図８（ｄ）は、貸出処理中に表示部２０３に表示される確認要求画面８４０の一例を示している。確認要求画面８４０は、ユーザＭに対して、ユーザ名と貸出対象の書籍名を確認させるための画面である。制御部２０１は、ステップＳ５０２およびステップＳ５０４において読み取られた人ＩＤおよび書籍ＩＤに基づいて、ユーザテーブル３０１や管理テーブル３０２を参照してユーザ名や書籍名を特定する。
【００７１】
制御部２０１は、特定したユーザ名や書籍名を用いて、表示部２０３に表示させる確認要求画面８４０として、「（ユーザ名）さんに（書籍名）の貸出をおこないます。よろしいですか。」という表示や、ユーザＭが確認したことを示すＯＫボタン８４２や処理をキャンセルするキャンセルボタン８４１などを選択可能に表示する。
【００７２】
図５に戻って、制御部２０１は、ステップＳ５０５において表示された確認要求画面８４０に応じてユーザＭによって貸出処理の確認がされたか否かを判断する（ステップＳ５０６）。具体的には、制御部２０１は、確認要求画面８４０上のＯＫボタン８４２が選択されたか否かを判断する。
【００７３】
ステップＳ５０６において、ＯＫでない場合（ステップＳ５０６：Ｎｏ）は、ステップＳ５１３へ移行して、制御部２０１は、ユーザＭによって確認要求画面８４０に応じてキャンセルが選択されたか否かを判断する（ステップＳ５１３）。具体的には、制御部２０１は、確認要求画面８４０上のキャンセルボタン８４１が選択されたか否かを判断する。
【００７４】
ステップＳ５１３において、キャンセルが選択された場合（ステップＳ５１３：Ｙｅｓ）は、ステップＳ５０１へ戻って貸出処理を繰り返す。ステップＳ５１３において、キャンセルが選択されなかった場合（ステップＳ５１３：Ｎｏ）はＳ５０６に戻り、ユーザからの入力がされるまでこのステップを繰り返す。
【００７５】
ステップＳ５０６において、ＯＫとなった場合（ステップＳ５０６：Ｙｅｓ）は、制御部２０１は、管理テーブルにおける書籍Ｂの貸出期間を更新する所定の更新タイミングか否かを判断する（ステップＳ５０８）。更新タイミングは、たとえば、前回貸出期間を更新してから所定時間が経過したタイミングや、前回貸出期間を更新してから所定回数の貸出返却処理がおこなわれたタイミング、貸出返却処理がおこなわれる都度（この場合、ステップＳ５０７の判断は常にＹｅｓ）など、管理者などによって任意に設定可能である。
【００７６】
ステップＳ５０７において、所定の更新タイミングでなかった場合（ステップＳ５０７：Ｎｏ）は、ステップＳ５０９へ移行する。ステップＳ５０７において、所定の更新タイミングであった場合（ステップＳ５０７：Ｙｅｓ）は、制御部２０１は、書籍Ｂに対する統計データ３０３から管理テーブル３０２における貸出期間の更新をおこなう（ステップＳ５０８）。
【００７７】
ここで、図７を用いて、本発明の実施形態にかかる貸出期間の更新について説明する。図７は、本発明の実施形態にかかる貸出管理サーバにおける貸出期間の更新の一例を示す説明図である。図７（ａ）は、図３に示した統計データの詳細を示すテーブルである。図７（ｂ）は、図７（ａ）に示したテーブルの内容を示すグラフである。図７（ａ）に示すテーブルおよび図７（ｂ）に示すグラフは、後述するステップＳ６０６において、書籍Ｂの返却処理の際に統計データとして更新される。
【００７８】
図７（ａ）に示すテーブルは、書籍Ｂについて貸出処理がおこなわれてからから返却処理がおこなわれるまでの持出時間と、各持出時間の頻度と、各持出時間の累積頻度と、各持出時間における累積頻度の割合とを示している。
【００７９】
持出時間は、所定間隔で区切られている。図示の例では、１２時間（半日）単位に区切られており、詳細には、０時間以上１２時間未満は「０〜１２」、１２時間以上２４時間未満は「１２〜２４」、…で示されている。
【００８０】
頻度は、各持出時間に返却処理をおこなったユーザＭの数を示している。具体的には、ユーザＭによって書籍Ｂの返却処理がおこなわれると、制御部２０１によって書籍Ｂの持出時間が算出され、対応する頻度が更新される。より具体的には、テーブルは、３０時間の持出時間で書籍Ｂを返却したユーザＭがいた場合、「２４〜３６」の持出時間に対応する頻度が１つ加算される。
【００８１】
累積頻度は、各頻度の累積値が示されている。具体的には、たとえば、持出時間が２４時間未満となる「０〜１２」の頻度である３と、「１２〜２４」の頻度である５の合計値である８が「１２〜２４」の累積頻度として、持出時間が３６時間未満となる「０〜１２」の頻度である３と、「１２〜２４」の頻度である５と、「２４〜３６」の頻度である８の合計値である１６が「２４〜３６」の累積頻度として（「３６〜４８」以降も同様）、それぞれ示されている。
【００８２】
割合は、頻度の合計（最大の累積頻度の値）に対する累積頻度の割合が示されている。すなわち、割合は、貸出処理がおこなわれてからから返却処理がおこなわれるまでが各持出時間未満だったユーザＭの割合である。
【００８３】
図７（ｂ）に示すグラフは、図７（ａ）示したテーブルのうち、各持出時間に対する頻度および割合を示している。制御部２０１は、図７（ｂ）に示すグラフを参照して、各持出時間に対する割合と、所定の割合であるしきい値と比較して、しきい値以下となる割合に対応する持出時間を貸出期間として設定する。
【００８４】
具体的には、しきい値は、管理者などがキーボード２０５を操作することで設定可能である。しきい値は、たとえば、書籍Ｂの利用に対する需要に応じて設定してもよい。具体的には、しきい値は、書籍Ｂが新しい場合、書籍Ｂが重要な場合、過去の利用人数が多い場合などに高く設定することとしてもよい。また、しきい値は、書籍Ｂの返却を忘れた場合など、書籍Ｂの利用に必要な時間以上の持出時間を貸出期間の設定に利用しないようにするため、１．０（＝１００％）よりも所定の割合分低く設定することとしてもよい。なお、図示の例では、しきい値は、０．９５（＝９５％）に設定されている。そして、制御部２０１は、所定の更新タイミングとなった場合、０．９５以下の割合となる持出時間（１４４時間＝６日）を新たな貸出期間として、管理テーブル３０２における貸出期間を更新する。
【００８５】
図５に戻って、制御部２０１は、表示部２０３を制御して、管理テーブル３０２に登録されている書籍Ｂについての貸出期間を表示する（ステップＳ５０９）。具体的には、制御部２０１は、「（書籍名）の貸出期間はＸＸＸ時間後です」という表示や、貸出期間から返却日時を算出して、「（書籍名）はＸＸ月ＸＸ日までに返却してください」などの表示をおこなう。なお、このステップＳ５０９における貸出期間の表示は、必ずしも必要な処理ではなく、省略して処理を簡素化してもよい。
【００８６】
制御部２０１は、ステップＳ５０２で読み取られた人ＩＤや、ステップＳ５０４で読み取られた書籍ＩＤや、タイマ（不図示）から取得した貸出時刻に基づいて、貸出処理の対象となった書籍Ｂについて、管理テーブル３０２を更新し（ステップＳ５１０）、そのまま一連の貸出処理を終了して、図４に示したステップＳ４０１へ戻る。
【００８７】
図４に戻って、ステップＳ４０２において、貸出処理が選択されなかった場合（ステップＳ４０２：Ｎｏ）は、制御部２０１は、ユーザＭによって、ステップＳ４０１において表示された初期画面８１０に応じて返却処理が選択されたか否かを判断する（ステップＳ４０４）。すなわち、制御部２０１は、初期画面８１０上における貸出ボタン８１１、返却ボタン８１２、終了ボタン８１３のうち返却ボタン８１２が選択されたか否かを判断する。
【００８８】
ステップＳ４０４において、返却処理が選択された場合（ステップＳ４０４：Ｙｅｓ）は、制御部２０１は、ユーザＭによる書籍Ｂの返却処理を実行する（ステップＳ４０５）。
【００８９】
ここで、図６を用いて、本発明の実施形態にかかる貸出管理サーバ１１０における返却処理（図４に示したステップＳ４０５）について説明する。図６は、本発明の実施形態にかかる貸出処理（図４に示したステップＳ４０５）の内容を示すフローチャートである。図６のフローチャートにおいて、まず、制御部２０１は、表示部２０３に書籍タグ読取要求画面を表示する（ステップＳ６０１）。
【００９０】
ここで、図８（ｅ）を用いて、表示部２０３に表示される書籍タグ読取要求画面について説明する。図８（ｅ）は、返却処理中に表示部２０３に表示される書籍タグ読取要求画面８５０の一例を示している。書籍タグ読取要求画面８５０は、書籍Ｂの返却処理をおこなうユーザＭに対して、返却処理の対象となる書籍Ｂに貼付された書籍タグＴｂを読取部２０２にかざすように促す画面である。書籍タグ読取要求画面８５０には、「アンテナに書籍を近づけてください」という表示や、処理をキャンセルするキャンセルボタン８５１などが選択可能に表示されている。
【００９１】
図６に戻って、制御部２０１は、ステップＳ６０１において表示された書籍タグ読取要求画面８５０に応じて読取部２０２を介して、書籍Ｂに貼付された書籍タグＴｂから書籍ＩＤを読み取ったか否かを判断する（ステップＳ６０２）。
【００９２】
ステップＳ６０２において、書籍ＩＤが読み取られていない場合（ステップＳ６０２：Ｎｏ）は、ステップＳ６０７へ移行して、制御部２０１は、ユーザＭによって書籍タグ読取要求画面８５０に応じてキャンセルが選択されたか否かを判断する（ステップＳ６０７）。具体的には、制御部２０１は、書籍タグ読取要求画面８５０上のキャンセルボタン８５１が選択されたか否かを判断する。
【００９３】
ステップＳ６０７において、キャンセルが選択された場合（ステップＳ６０７：Ｙｅｓ）は、そのまま一連の貸出処理を終了して、図４に示したステップＳ４０１へ戻る。ステップＳ６０７において、キャンセルが選択されなかった場合（ステップＳ６０７：Ｎｏ）は、ステップＳ６０２へ戻って処理を繰り返す。
【００９４】
ステップＳ６０２において、書籍ＩＤが読み取られた場合（ステップＳ６０２：Ｙｅｓ）は、制御部２０１は、表示部２０３に確認要求画面を表示する（ステップＳ６０３）。
【００９５】
ここで、図８（ｆ）を用いて、表示部２０３に表示される確認要求画面について説明する。図８（ｆ）は、返却処理中に表示部２０３に表示される確認要求画面８６０の一例を示している。確認要求画面８６０は、ユーザＭに対して、ユーザ名と返却対象の書籍名を確認させるための画面である。制御部２０１は、ステップＳ６０１において読み取られた書籍ＩＤに基づいて、ユーザテーブル３０１や管理テーブル３０２を参照して書籍の貸出処理をおこなっていたユーザ名や書籍名を特定する。
【００９６】
制御部２０１は、特定したユーザ名や書籍名を用いて、表示部２０３に表示させる確認要求画面８６０として、「（ユーザ名）さん、（書籍名）の返却をおこないます。よろしいですか。」という表示や、ユーザＭが確認したことを示すＯＫボタン８６２や処理をキャンセルするキャンセルボタン８６１などを選択可能に表示する。
【００９７】
図６に戻って、制御部２０１は、ステップＳ６０３において表示された確認要求画面８６０に応じてユーザＭによって返却処理の確認がされたか否かを判断する（ステップＳ６０４）。具体的には、制御部２０１は、確認要求画面８６０上のＯＫボタン８６２が選択されたか否かを判断する。
【００９８】
ステップＳ６０４において、ＯＫでない場合（ステップＳ６０４：Ｎｏ）は、ステップＳ６０８へ移行して、制御部２０１は、ユーザＭによって確認要求画面８６０に応じてキャンセルが選択されたか否かを判断する（ステップＳ６０８）。具体的には、制御部２０１は、確認要求画面８６０上のキャンセルボタン８６１が選択されたか否かを判断する。
【００９９】
ステップＳ６０８において、キャンセルが選択された場合（ステップＳ６０８：Ｙｅｓ）は、ステップＳ６０１へ戻って返却処理を繰り返す。ステップＳ６０８において、キャンセルが選択されなかった場合（ステップＳ６０８：Ｎｏ）は、ステップＳ６０４に戻り、ユーザの入力があるまでこのステップを繰り返す。
【０１００】
ステップＳ６０４において、ＯＫとなった場合（ステップＳ６０４：Ｙｅｓ）は、制御部２０１は、ステップＳ６０２において読み取られた書籍Ｂの書籍ＩＤに基づいて、貸出処理の対象となった書籍Ｂについて、管理テーブル３０２を更新する（ステップＳ６０５）。
【０１０１】
具体的には、制御部２０１は、返却処理がおこなわれた書籍Ｂの管理状態を貸出中から収納中に変更し、貸出時刻およびユーザをクリアして管理テーブル３０２を更新する。
【０１０２】
制御部２０１は、ステップＳ６０２において読み取られた書籍Ｂの書籍ＩＤに基づいて、貸出処理の対象となった書籍Ｂについて、統計データ３０３を更新し（ステップＳ６０６）、そのまま一連の貸出処理を終了して、図４に示したステップＳ４０１へ戻る。
【０１０３】
具体的には、制御部２０１は、返却された書籍Ｂについて、タイマ（不図示）から取得した時刻を返却時刻として、管理テーブル３０２における貸出時刻から返却時刻までの持出時間を算出する。制御部２０１は、書籍Ｂの統計データについて、算出された持出時間に対応する頻度をカウントアップして統計データを更新する。
【０１０４】
図４に戻って、ステップＳ４０４において、返却処理が選択されなかった場合（ステップＳ４０４：Ｎｏ）は、制御部２０１は、ユーザＭによって、ステップＳ４０１において表示された初期画面８１０に応じて終了が選択されたか否かを判断する（ステップＳ４０６）。すなわち、制御部２０１は、初期画面８１０上における貸出ボタン８１１、返却ボタン８１２、終了ボタン８１３のうち終了ボタン８１３が選択されたか否かを判断する。
【０１０５】
ステップＳ４０６において、終了が選択されなかった場合（ステップＳ４０６：Ｎｏ）は、ステップＳ４０１へ戻って処理を繰り返す。また、ステップＳ４０６において、終了が選択された場合（ステップＳ４０６：Ｙｅｓ）は、そのまま一連の処理を終了する。
【０１０６】
なお、本発明の各構成要素における処理と、本発明の実施形態の各処理または各機能とを関連付けて説明すると、ステップＳ５０２、ステップＳ５０４およびステップＳ６０２における制御部２０１および読取部２０２の処理によって、本発明にかかる貸出返却情報取得手段の処理が実行される。ステップＳ６０６における制御部２０１の処理によって、本発明にかかる持出時間算出手段および更新手段の処理が実行される。ステップＳ５０８における制御部２０１の処理によって、本発明にかかる設定手段の処理が実行される。ステップＳ５０９における制御部２０１および表示部２０３の処理によって、本発明にかかる第１報知手段の処理が実行される。
【０１０７】
以上説明したように、本発明の実施形態にかかる貸出管理サーバによれば、書籍の持出時間に応じた割合を、所定のしきい値と比較することで書籍の貸出期間を設定することができる。したがって、各書籍の種類、ページ数、貸出時期など利用状況に適した貸出期間によって、書籍の貸出返却サービスの最適化を図ることができる。すなわち、持出時間が貸出期間を経過したユーザが多ければ、必要十分な時間を長くするために貸出期間を長く設定でき、持出時間が貸出期間と同じもしくは短いユーザが多ければ必要十分な時間を短くするために貸出期間を短く設定できる構成となる。したがって、書籍ごとに必要十分な時間を貸出期間とすることで、書籍の稼働率の最適化を図ることができる。
【０１０８】
また、本発明の実施形態にかかる貸出管理サーバによれば、書籍に設定されている貸出期間をユーザに報知することができるため、ユーザは、貸出処理の対象となる書籍ごとに貸出期間を把握して、書籍の最適な利用を図ることができる。
【０１０９】
（その他の一部の変形例）
また、本発明の実施形態では特に、図５に示したステップＳ５０９において、表示部２０３によって、書籍Ｂの貸出期間を表示する構成として説明したが、これに限ることはない。具体的には、スピーカ（不図示）などによって音声出力をおこなってもよい。貸出期間を報知する手段にバリエーションを持たせることで、ユーザＭに確実に貸出期間を伝えることができる。
【０１１０】
さらに、貸出処理をおこなったユーザＭの連絡先情報を特定した場合、連絡先情報に基づいて、ユーザＭに貸出期間を報知することとしてもよい。すなわち、制御部２０１は、書籍Ｂの貸出処理をおこなったユーザＭの人ＩＤについて、ユーザテーブル３０１を参照して、ユーザＭの端末装置のメールアドレスを取得する。そして、第２報知手段として機能する通信Ｉ／Ｆ（不図示）によって、ユーザＭの端末装置へメールとして貸出期間を報知する。
【０１１１】
ユーザＭの端末装置に貸出期間を報知することで、ユーザＭは、確実に貸出期間を把握することができる。さらに、ユーザＭの端末装置に貸出期間を報知する構成であるため、貸出時のみならず、貸出処理から所定時間経過後（たとえば、返却処理の数時間前や貸出期間経過後）に貸出期間を報知することとしてもよい。なお、連絡先情報は、メールアドレスに限ることなく、電話番号や住所などでもよい。
【０１１２】
また、本発明の実施形態では特に、ステップＳ６０５において書籍Ｂが返却されると、管理テーブル３０２を更新する構成としたが、同一のユーザＭが、連続して同一の書籍Ｂの貸出処理をおこなった場合は、管理テーブル３０２の貸出時刻やユーザを更新しないこととしてもよい。すなわち、ステップＳ６０５における管理テーブル３０２の更新の前に、所定時間の経過を待って、連続した貸出処理がない場合にステップＳ６０５へ移行する。
【０１１３】
このようにすれば、同一のユーザＭが連続して同一の書籍Ｂの貸出処理をおこなった場合、連続の合計時間を持出時間とすることができる。したがって、書籍Ｂの持出時間が不十分だったために連続して貸出処理がされた場合であっても合計時間を考慮することができるため、より最適な貸出期間の設定ができる。
【０１１４】
また、本発明の実施形態では特に、ステップＳ５０７およびステップＳ５０８において、所定の更新タイミングに貸出期間の更新をおこなう構成としているが、貸出期間の更新は、これに限ることはない。具体的には、たとえば、ステップＳ６０６において統計データを更新した後などに所定の更新タイミングか否かを判断して、判断結果に応じて貸出期間の更新をおこなってもよい。さらに、所定の更新タイミングとなった時点で統計データを参照して、貸出期間を更新することとしてもよい。このように、適宜のタイミングで貸出期間の更新を図ることによって、より最適な貸出期間を設定することができる。
【０１１５】
また、本発明の実施形態では特に、図３やステップＳ６０５において、制御部２０１は、書籍Ｂの返却処理がおこなわれた際に貸出時刻およびユーザをクリアしたが、つぎに貸出処理がおこなわれるまで貸出時刻およびユーザをクリアせずに履歴として記憶しておいてもよい。このような構成とすれば、書籍Ｂの貸出履歴を容易に参照可能となる。
【０１１６】
また、本発明の実施形態では特に、書籍Ｂごとに統計データを累積することとして説明したが、所定期間ごとに統計データをクリアする構成としてもよい。具体的には、１ヶ月ごとに統計データをクリアしてもよく、このようにすれば、過去の統計データの影響をあまり受けず、最新の統計データのみを参照して貸出期間を設定することができる。
【０１１７】
すなわち、数ヶ月前は新刊だったため最適な貸出期間は長かった場合（多くのユーザＭが長い時間をかけて貸出をおこなった）、過去の統計データに引きずられてしまい、新刊でなくなった場合に短い貸出期間に設定することができない（短い貸出期間の統計データを多く集めなければならない）。所定期間で統計データを更新すれば、常に最新の動向に対応することができるため、貸出期間の設定の最適化を図ることができる。
【０１１８】
また、本発明の実施形態では特に、統計データとして、図７に示したように持出時間と頻度（貸出処理をおこなったユーザＭの人数）を用いることとして説明したが、これに限ることはない。具体的には、統計データとして、頻度の変わりに持出時間の積算値を用いることとしてもよい。
【０１１９】
より具体的には、持出時間の積算値は、各持出時間と頻度の積である（「０〜１２」に対応する頻度が３の場合の積算値は、１２×３＝３６、「１２〜２４」に対応する頻度が５の場合の積算値は、２４×５＝１２０、以降も同様）。そして、各持出時間の積算値を累積した累積積算値と、積算値の合計（最大の累積積算値の値）とに基づいて、割合（＝（累積積算値）／（積算値の合計））を算出する。
【０１２０】
また、具体的には、統計データとして、単位期間に対する書籍Ｂの持出時間の合計を用いることとしてもよい。より具体的には、統計データにおける割合として、（単位期間中における持出時間の合計）／（単位期間の全時間）とし、この値と、単位期間中の貸出回数やユーザＭ数との商を貸出期間としてもよい。このように、貸出期間は、持出時間、利用回数、利用人数などの各種パラメータを適宜組み合わせて設定することができる。
【０１２１】
また、本発明の実施形態では特に、統計データにおいて貸出期間を設定するための持出時間のしきい値を、管理者がキーボードを操作して設定することとして説明したが、これに限ることはない。すなわち、統計データにおける持出時間の平均値や標準偏差σを算出して、平均値から標準偏差σの整数倍（たとえば、σ、３σ、６σ）となる持出時間の上限をしきい値に設定する構成でもよい。
【符号の説明】
【０１２２】
Ｍ  ユーザ
Ｂ  書籍
Ｔｍ  人タグ
Ｔｂ  書籍タグ
１００  貸出管理システム
１０１  収納棚
１１０  貸出管理サーバ
１５０  保管室
２０１  制御部
２０２  読取部
２０３  表示部
２０４  データベース
３０１  ユーザテーブル
３０２  管理テーブル
３０３  統計データ
【図１】
2010238047.tif 000003
【図２】
2010238047.tif 000004
【図３】
2010238047.tif 000005
【図４】
2010238047.tif 000006
【図５】
2010238047.tif 000007
【図６】
2010238047.tif 000008
【図７】
2010238047.tif 000009
【図８】
2010238047.tif 000010